Podtech/llm-jp-corpus-v4-ja_patent huggingface dataset:
(57)【要約】【課題】ネックレスにおいて、リングにリングをかませるタイプの止め具では、慣れていない人や爪を伸ばしている人は止める事が容易でない。本考案は、このようなタイプの止め具を誰でも容易に装着可能とする事を課題とする。【解決手段】一部が開閉可能なリングの開閉部を開いた状態で挟む事ができ、その状態でスライドさせるためのスリット状の横溝が長手方向に設けられ、また一端部にスリット状の縦溝と空洞が設けられ、その空洞の中には一端がカギ状で両端が縦溝側に突出している細い棒状体と伸縮性を有するひもで繋がれた湾曲可能な棒状体により、この課題を解決する。  【選択図】  図２
0003131469.tif 000002
【実用新案登録請求の範囲】
【請求項１】
一部が開閉可能なリングの開閉部を開いた状態で挟む事ができ、その状態でスライドさせるためのスリット状の横溝が長手方向に設けられ、また一端部にスリット状の縦溝と空洞が設けられ、その空洞の中には一端がカギ状で両端が縦溝側に突出している細い棒状体と伸縮性を有するひもで繋がれた湾曲可能な棒状体。
【請求項２】
上記細い棒状体のカギ状でない一端に輪がついた請求項1記載の棒状体。
【考案の詳細な説明】
【技術分野】
【０００１】
本考案は、誰でも容易にネックレスが装着可能とする装置である。
【背景技術】
【０００２】
現在、リングにリングをかませるタイプの止め具を有するネックレスが主流である。
【考案の開示】
【考案が解決しようとする課題】
【０００３】
リングにリングをかませるタイプの止め具では、慣れていない人や爪を伸ばしている人は止める事が容易でない。本考案は、このようなタイプの止め具を誰でも容易に装着可能とする事を課題とする。
【課題を解決するための手段】
【０００４】
一部が開閉可能なリングBの開閉部を開いた状態で挟む事ができ、その状態でスライドさせるためのスリット状の横溝が長手方向に設けられ、また一端部にリングAを差し込むためのスリット状の縦溝と空洞が設けられ、その空洞の中にはリングAを掛けるため一端がカギ状で両端が縦溝側に突出している細い棒状体と掛けたリングAを縦溝に差し込ませるため伸縮性を有するひもで繋がれた湾曲可能な棒状体を提案する。
【０００５】
棒状体Cは硬く湾曲可能な素材で、PET樹脂や竹等が望ましく、厚さは1ｍｍ前後、長手方向400〜500ｍｍ、短手方向5〜10ｍｍ。細い棒状体Dは硬く湾曲しにくい素材で、直径0.25〜0.3ｍｍのステンレス等の金属が望ましい。伸縮材Iは切れにくく縮む力の強いもので、ゴム等が望ましい。空洞は細い棒状体Dが完全に飛び出さぬ様、一部空洞でないコの字形が望ましい。
【０００６】
前記細い棒状体Dのカギ状でない一端Hを引っ張り、同時に出てきたカギ状の一端GにリングAを掛けカギ状でない一端Hを手放すと、カギ状の一端Gが元の位置に戻りリングAを装着できる。その反対側の端の横溝Eに、一部が開閉可能なリングBの開閉部を開いた状態で挟む（図２）。棒状体Cとネックレスによりできた輪に装着する人の頭を通す。一部が開閉可能なリングBをリングA方向にスライドさせる（図３）。リングAに一部が開閉可能なリングBが挟まると衝撃で自然に棒状体Cがネックレスから外れ、装着が完了する。
【考案の効果】
【０００７】
本考案により、誰でも容易にネックレスが装着可能となる。
【考案を実施するための最良の形態】
【０００８】
棒状体CはPET樹脂で厚さ1ｍｍ、長手方向450ｍｍ、短手方向10ｍｍ。横溝Eの断面は三角形で、位置は一部が開閉可能なリングBを挟む側から横溝Eの端まで1.5ｍｍ、溝の幅1ｍｍ、最深0.3ｍｍ。縦溝Fの位置は横溝E側から縦溝Fの端まで0.4ｍｍ、溝の幅0.5ｍｍ、深さは1ｍｍ。空洞はコの字形で、位置は一部が開閉可能なリングBを挟む側から空洞の端まで1.85ｍｍ、横溝E側から空洞の端まで0.6ｍｍ、縦溝F方向5.08ｍｍ、奥行4ｍｍ、幅は横溝Eの真下のみ0.3ｍｍ、それ以外は0.8ｍｍ。コの字の中央部分（空洞でない部分）の位置は、一部が開閉可能なリングBを挟む側から2.15ｍｍ、縦溝F方向4.98ｍｍ、奥行1ｍｍ。細い棒状体Dは直径0.28ｍｍのステンレスで、カギ状部分から外寸0.5ｍｍ、4ｍｍ、5ｍｍ、6ｍｍと折れ曲がっている。カギ状でない一端Hには伸縮材Iと糸Jが固定されており、伸縮材Iはゴムで直径0.5ｍｍ、長さ6ｍｍ。糸Jは直径1ｍｍの麻糸で、直径30ｍｍの輪を作っている。この糸Jに指を掛けると、片手で容易にカギ状の一端Gを引っ張り出せる。空洞の断面を図４に示す。
【図面の簡単な説明】
【０００９】
【図１】ネックレス装着装置。
【図２】リングAと一部が開閉可能なリングBを装着したネックレス装着装置。
【図３】一部が開閉可能なリングBをスライドさせている様子。
【図４】空洞の断面。
【符号の説明】
【００１０】
A  リング
B  一部が開閉可能なリング
C  棒状体
D  細い棒状体
E  横溝
F  縦溝
G  カギ状の一端
H  カギ状でない一端
I  伸縮材
J  糸
【図１】
0003131469.tif 000003
【図２】
0003131469.tif 000004
【図３】
0003131469.tif 000005
【図４】
0003131469.tif 000006
(57)【要約】【課題】フラッシュ照明目覚まし時計構造の提供。【解決手段】本考案のフラッシュ照明目覚まし時計構造は、主に、計時パネル上に一つ以上の発光ダイオードを設置し、夜間に目覚まし時計を見る際に使用でき、同時に、ランプとしての照明功能も有する。光線照射の制御方式とアラームにより使用者に時間を提示し、光線照射により眼部を刺激して、刺激により人体に自然反応を生成させ、熟睡者を目覚めさせる率を増加させ、アラーム効果を向上する。【選択図】    図１
0003131465.tif 000002
【実用新案登録請求の範囲】
【請求項１】
フラッシュ照明目覚まし時計構造であって、主に、計時パネル上に一つ以上の発光ダイオードを設置し、前記発光ダイオードは二個のスイッチボタンを設置して制御されるか、或いは、回路板により前記発光ダイオードを設定し、ラッパかアラームにより、同時にランプとアラームを生成して使用者に時間を提示するフラッシュ照明目覚まし時計構造。
【請求項２】
前記スイッチボタンは、前記発光ダイオードを制御し、前記発光ダイオードは夜間に目覚まし時計を見るランプとなるか、照明ランプとして使用できることを特徴とする請求項１に記載のフラッシュ照明目覚まし時計構造。
【請求項３】
前記発光ダイオードの設置位置は、前記計時パネル正面上の任意の位置に制限されることを特徴とする請求項１に記載のフラッシュ照明目覚まし時計構造。
【請求項４】
前記スイッチボタンは回路板により電流を調整し、前記スイッチボタンを二回連続で押す方式により、前記発光ダイオードは照明輝度を増加させ、目覚まし時計四周に暫時の照明を提供することを特徴とする請求項１、或いは、２に記載のフラッシュ照明目覚まし時計構造。
【考案の詳細な説明】
【技術分野】
【０００１】
本考案は、フラッシュ照明目覚まし時計の構造に関し、主に、目覚まし時計に発光ダイオードを増設し、ライトとアラームにより時間を提示し、同時に、ランプとしても使用できる目覚まし時計の構造に関する。
【背景技術】
【０００２】
目覚まし時計製品の競争は激しく、外形とアラームの不断の創作により使用者のニーズを満足させている。アラームは公知の単調な音に変化をつけ、また、使用者の目覚まし功能に対して、アラームの鳴る時間を延長しているものもある。しかし、現代社会において、多くの雑音があり、その雑音により目覚ましのアラームが聞きにくくなり、使用者が時間を掌握することが難しいことがある。この他、長時間相同のアラームを聞いていると聴力が慣れて、アラームを無視してしまう状況が生じる。
【０００３】
また、公知の目覚まし時計に発光ダイオードを設置しているものもあるが、この種の発光ダイオードは単に計時パネルの目盛りの刻みとしての使用であり、放置方向と位置はランプとしての使用には不足であり、目覚まし時計の提示方式と構造体は改善を必要とする。
【考案の開示】
【考案が解決しようとする課題】
【０００４】
本考案の目的は、公知の目覚まし時計が、雑音の干渉や長期不変のアラームにより、使用者の設定時間を適切に促すことが出来ない問題に対し改善を加え、目覚まし時計のパネルに一つ以上の発光ダイオードを増設し、ランプを制御する方式で、光が眼部を刺激して、使用者に時間を伝える効果を達成する目覚まし時計構造を提供することにある。
【課題を解決するための手段】
【０００５】
上述の目的を達成するため、本考案のフラッシュ照明目覚まし時計構造は、主に、計時パネル上に一つ以上の発光ダイオードを増設し、発光ダイオードは、二個の制御ボタンを有し、制御ボタンは暫時の照明効果を提供し、夜間に時計を見ることができるようにし、同時に、アラームを停止する功能も有する。もう一つの制御ボタンは、目覚まし時計にランプの功能を具備させるものである。この他、発光ダイオードは目覚まし時計のアラームと結合し、ランプとアラームにより使用者に提示し、光照射方式でアラームが外界の雑音の影響を受けるのを補い、ランプで眼部を刺激して、人体に自然反応を生成させ、時間を伝える。
【考案の効果】
【０００６】
本考案の目覚まし時計の計時パネルに一つ以上の発光ダイオードを増設した目覚まし時計構造により、光が眼部を刺激して、使用者に時間を伝える効果を達成する。
【考案を実施するための最良の形態】
【０００７】
図１〜図３は本考案のフラッシュ照明目覚まし構造を示す図で、目覚まし時計の計時パネル１０は一つ以上の発光ダイオード２０を設置し、発光ダイオードは二個以上のスイッチボタン２１で制御する。一スイッチボタンは暫時の照明効果を提供し、夜間に時計を見るのに便利で、この他、アラーム停止の功能も有する。回路板１３により電流を調整し、二回連続してスイッチボタンを押すと、発光ダイオードが輝度を瞬間に増加させ、目覚まし時計四周に短い照明を提供する。もう一つのスイッチボタンはアラームにランプとしての照明効果を具備させ（図４）、目覚まし時計の機芯１２により時間を設定し、指針１１が指定時間に達すると、内部の回路板に設定されたラッパ１４、及び、発光ダイオードがランプとアラームを生成して使用者に提示する。
【０００８】
図５、図６で示されるように、本考案はランプ照明方式を増加しており、熟睡した使用者に一定の効果がある。主に、ランプが人体の眼部に照射される時、目はランプ照明の刺激を受け、突然の照射に適当するために、瞳孔が自然に縮小して適応し、適応過程で不快感を生成し、熟睡者の目は眼皮で包覆されているが、眼皮は薄く目がランプの照射に感応し、使用者の目が覚める。
【０００９】
発光ダイオード２０は目覚まし時計のアラームと結合し、ランプとアラームにより使用者に時間を提示するもので、ランプ照射方式により、外界の雑音による影響を解決し、ランプ照射が眼部を刺激して、使用者への時間を提示する効果を増加する。発光ダイオードは目覚まし時計にランプとしての功能を具備させるため、発光ダイオードの照射ランプは計時パネルと垂直状を維持し、よって、発光ダイオードの設置位置は、計時パネル正面の任意の位置上に限定される（図７で示される）。
【００１０】
上述のように、本考案のフラッシュ照明目覚まし時計構造は、計時パネル１０が発光ダイオード２０を設置し、発光ダイオードによりランプの功能を有し、ランプとアラームの効果により目覚まし時計の時間提示の効果を増加する。
【図面の簡単な説明】
【００１１】
【図１】本考案の構造立体図である。
【図２】本考案の構造立体システム図である。
【図３】本考案の構造断面図である。
【図４】本考案の構造実施図である。
【図５】本考案の構造実施原理図である。
【図６】本考案の構造実施図である。
【図７】本考案のもう一つの例の立体図である。
【符号の説明】
【００１２】
１０  計時パネル        
１１  指針
１２  機芯
１３  回路板
１４  ラッパ
２０  発光ダイオード
２１  スイッチボタン        
【図１】
0003131465.tif 000003
【図２】
0003131465.tif 000004
【図３】
0003131465.tif 000005
【図４】
0003131465.tif 000006
【図５】
0003131465.tif 000007
【図６】
0003131465.tif 000008
【図７】
0003131465.tif 000009
(57)【要約】【課題】設置場所の床との接触角度を調整できる小型テーブルのパッドを提供する。【解決手段】少なくとも３本の足部が枢設される小型テーブルにおける足部の足先部に枢設されるパッドであって、前記足先部は、略Ｕ字形を呈し、該パッドは板状のパッド本体を有し、該パッド本体の上側に略Ｃ字形の係合ブロックが設けられ、該係合ブロックが足先部に枢設されることを特徴とする。【選択図】図１
0003131432.tif 000002
【実用新案登録請求の範囲】
【請求項１】
少なくとも３本の足部が枢設される小型テーブルにおける足部の足先部に枢設されるパッドであって、
前記足先部は、略Ｕ字形を呈し、該パッドは板状のパッド本体を有し、該パッド本体の上側に略Ｃ字形の係合ブロックが設けられ、該係合ブロックが足先部に枢設されることを特徴とする小型テーブルのパッド。
【請求項２】
前記パッドのパッド本体の下側に滑り止め効果を有する滑り止めパッドが設けられることを特徴とする請求項１に記載の小型テーブルのパッド。
【考案の詳細な説明】
【技術分野】
【０００１】
本考案は、特に設置場所の床との接触角度を調整できる小型テーブルのパッドに関するものである。
【背景技術】
【０００２】
通常の小型テーブルは、足部を折り畳んで体積を小さくできるので、一般の家庭に普及している。又、その小型テーブルは、板状のテーブル本体を有し、該テーブル本体の下側に折り畳み可能な４本の足部が枢設され、これらの足部が金属材からなるので、テーブル本体に優れた支持効果を提供できる。
【０００３】
図３に示すように、従来の小型テーブルの足部（３０）は、その一端がテーブル本体（符号なし）の下側に枢設され、他端に足先部（３１）が設けられ、該足先部（３１）は、足部（３０）を展開した時にテーブル本体と平行となる構造であるので、４点支持によりテーブル本体に安定的な支持効果を提供することができる。
【０００４】
しかしながら、前記従来の足部（３０）における足先部（３１）には何らかの滑り止め構造を有さないため、金属製の足先部（３１）がフローリングなどの床と直接接触するので、床を損傷してしまう問題があった。
【考案の開示】
【考案が解決しようとする課題】
【０００５】
又、図４に示すように、前記の問題に鑑み、その後、足先部（４１）の外側に射出成形よりプラスチックの保護カバー（４２）が被包される小型テーブルの足部（４０）が案出された。
【０００６】
しかしながら、前記保護カバー（４２）は長時間使用すると、床との接触箇所が破損してしまい、小型テーブルに安定的な支持効果を提供し続けることができず、又、小型テーブルの安定的な支持効果を得るために、全ての保護カバー（４２）を取り外すこともできるが、その場合、床を損傷する問題を発生する恐れがあった。
【０００７】
そこで、案出されたのが本考案であって、設置場所の床との接触角度を調整できる小型テーブルのパッドを提供することを目的としている。
【課題を解決するための手段】
【０００８】
本願の請求項１の考案は、少なくとも３本の足部が枢設される小型テーブルにおける足部の足先部に枢設されるパッドであって、
前記足先部は、略Ｕ字形を呈し、該パッドは板状のパッド本体を有し、該パッド本体の上側に略Ｃ字形の係合ブロックが設けられ、該係合ブロックが足先部に枢設されることを特徴とする小型テーブルのパッド、を提供する。
【０００９】
本願の請求項２の考案は、前記パッドのパッド本体の下側に滑り止め効果を有する滑り止めパッドが設けられることを特徴とする請求項１に記載の小型テーブルのパッド、を提供する。
【考案の効果】
【００１０】
本考案は上記の課題を解決するものであり、小型テーブルにおける足部の足先部に角度の調整可能なパッドが設けられることにより、小型テーブルに安定的な支持効果を提供すると共に、設置場所の床の損傷問題を防ぐ効果を有する。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係る小型テーブルのパッドの使用状態を示す斜視図であり、図２は本考案に係る小型テーブルのパッドの使用状態を示す側面図である。
【００１３】
図１及び図２に示すように、本考案に係る小型テーブルのパッド（１０）の実施例は、４本の足部（２０）が枢設される小型テーブル（符号なし）における足部（２０）の足先部（２１）に枢設され（図面には１本の足部しか表示しない）、該足先部（２１）は、略Ｕ字形を呈し、該パッド（１０）は板状のパッド本体（１１）を有し、該パッド本体（１１）の上側に略Ｃ字形の係合ブロック（１２）が設けられ、該係合ブロック（１２）が足先部（２１）に枢設される。
【００１４】
前記パッド（１０）のパッド本体（１１）は、何らかの形状になってもよく、例えば、動物や植物やアニメの人物、又は簡単な図形の組み合わせになってもよい。
【００１５】
又、小型テーブルを床に設置する際の滑り現象を防ぐために、前記パッド（１０）のパッド本体（１１）の下側に滑り止め効果を有する滑り止めパッド（１３）が設けられてもよい。
【００１６】
前記パッド（１０）のパッド本体（１１）及び略Ｃ字形の係合ブロック（１２）は、硬質のプラスチック材より射出成形で一体に成形することができるので、製造は非常に簡単である。
【００１７】
本考案に係る小型テーブルのパッド（１０）を使用する際、該パッド（１０）の略Ｃ字形の係合ブロック（１２）が開口を通じて足先部（２１）に引っかかるだけでよいので、取付も非常に簡単である。
【産業上の利用可能性】
【００１８】
本考案は上記の構成を有するので、小型テーブルにおける足部の足先部に角度の調整可能なパッドが設けられることにより、小型テーブルに安定的な支持効果を提供すると共に、設置場所の床の損傷問題を防ぐ効果を有する。
【図面の簡単な説明】
【００１９】
【図１】本考案に係る小型テーブルのパッドの使用状態を示す斜視図である。
【図２】本考案に係る小型テーブルのパッドの使用状態を示す側面図である。
【図３】従来の小型テーブルの足部を示す側面図である。
【図４】従来の小型テーブルの他の足部を示す側面図である。
【符号の説明】
【００２０】
１０        パッド
１１        パッド本体
１２        係合ブロック
１３        滑り止めパッド
２０        足部
２１        足先部
３０        足部
３１        足先部
４０        足部
４１        足先部
４２        保護カバー
【図１】
0003131432.tif 000003
【図２】
0003131432.tif 000004
【図３】
0003131432.tif 000005
【図４】
0003131432.tif 000006
(57)【要約】【課題】本考案は、水中で抵抗を受けても魚皮が反ったり、丸まったりしないサビキ用釣り針を得ることを目的とする。【解決手段】魚皮を従来のサビキ用釣り針とは逆方向にして取り付ける。つまり、二つ折りにした魚皮の内側と釣り針内側面が向かい合う形で、前記魚皮の一方端を釣り針頭部に結び留めするとともに、針先部を魚皮の折り曲げ線上の適当な位置で貫通させる事により、魚皮を２点で保持できるようになり、水中での抵抗に強くなり、魚皮が反ったり、丸まるのを防止できる。【選択図】図５
0003131443.tif 000002
【実用新案登録請求の範囲】
【請求項１】
二つ折りにした魚皮の内側と釣り針内側面が向かい合う形で、前記魚皮の一方端を釣り針頭部に結び留めするとともに、針先部を魚皮の折り曲げ線上の適当な位置で貫通させた事を特徴とするサビキ用釣り針
【考案の詳細な説明】
【技術分野】
【０００１】
本考案は、サビキ用釣針に関するものである。
【背景技術】
【０００２】
従来のサビキ用釣針は、図４のように魚皮を二つ折りにしたものを魚皮の内側と釣り針外側面を向かい合う形で合わせて、魚皮の一方端を釣り針頭部に結び留めされていた。
【考案の開示】
【考案が解決しようとする課題】
【０００３】
解決しようとする問題点は、従来のサビキ用釣り針は、魚皮の一方端を釣り針頭部に巻き留められていただけなので、使用していると水の抵抗を受けて魚皮の下部が振られ、反り返ったり、丸まったりすることがある。魚皮が反ったり、丸まったりすると水中での動きが不安定になり、魚が掛かりにくくなる。
【課題を解決するための手段】
【０００４】
本考案のサビキ用釣り針は、二つ折りにした魚皮の内側と釣り針内側面が向かい合う形で、前記魚皮の一方端を釣り針頭部に結び留めするとともに、針先部を魚皮折り曲げ線上の適当な位置で貫通させることにより、魚皮が釣り針頭部と釣り針貫通点の２点で釣り針に留められることになる。その為、水の抵抗で魚皮の下部が振られ、反り返ったり、丸まったりすることを防ぐことが出来る。
【考案の効果】
【０００５】
本考案は、二つ折りにした魚皮の内側と釣り針内側面が向かい合う形で、前記魚皮の一方端を釣り針頭部に結び留めするとともに、針先部を魚皮折り線部の適当な位置で貫通させた事により、魚皮が２点で保持出来るようになる。これにより、従来の上端１点だけで魚皮を保持していたサビキ用釣り針に比べて、水中での抵抗に強くなり魚皮下部が反ったり、丸まったりしにくくなる。
【０００６】
また、魚皮が２点で保持されることにより、釣り針との密着度が増し、魚皮の振れが激減するため、釣り針の動きが安定し、より自然な動きになる。
【考案を実施するための最良の形態】
【０００７】
考案の実施の形態について図面を参照して説明する。図１は魚皮を菱形に切り取ったものを二つ折りにした状態を示したものである。図２は二つ折りにした魚皮上端と釣り針頭部を重ね合わせ、また、針先を魚皮の折り曲げ線の適当な位置から貫通させ釣り針軸部の内側面と魚皮の折り曲げ線部を重ね合わせる。そして、釣り針頭部に重ねた魚皮の上からハリスを巻き結んで留めるという過程を示したものである。図３は図２で得られた本考案のサビキ用釣り針を複数本、幹糸に結んでサビキ仕掛けにした状態図である
【産業上の利用可能性】
【０００８】
本考案は、魚皮が釣り針頭部と釣り針貫通部の２点で保持されるので水中で抵抗を受けても、魚皮が反ったりしないので、波止場からのサビキ釣りのみならず、船からのサビキ釣りにも十分な効果を発揮する。
【図面の簡単な説明】
【０００９】
【図１】菱形に切り取り、二つ折りにした説明図
【図２】本考案サビキ用釣り針の加工過程の説明図
【図３】本考案作サビキ用釣り針を用いた仕掛けの略図
【図４】従来のサビキ用釣り針
【図５】本考案サビキ用釣り針
【符号の説明】
【００１０】
１    折り曲げ線
２    針先
３    ハリス
【図１】
0003131443.tif 000003
【図２】
0003131443.tif 000004
【図３】
0003131443.tif 000005
【図４】
0003131443.tif 000006
【図５】
0003131443.tif 000007
(57)【要約】【課題】いつでも、何処にでも使い慣れたクッション製枕を簡単に持ち運びができる携帯用安眠枕カバーを提供する。【解決手段】マジックテープ（商標登録）４，５，６，７と取手８を縫い付けた布帛２と、該布帛２に取り付けられ、ワンタッチバックルオス９，１１とワンタッチバックルメス１０，１２と前記布帛２に縫い付けられたマジックテープ４，５，６，７の対となる凹凸どちらかのマジックテープ１３，１４を具備する樹脂製ベルト３とによって構成する携帯用安眠枕カバー１。【選択図】  図1
0003131442.tif 000002
【実用新案登録請求の範囲】
【請求項１】
クッション材で製作された枕を圧縮して持ち運びができる携帯用安眠枕カバーにあって、マジックテープ（商標登録）と取手を縫い付けた布帛と、該布帛に取り付けられ、ワンタッチバックルと前記布帛に縫い付けられた前記マジックテープの対となるマジックテープを具備する樹脂製ベルトとによって構成することを特徴とする携帯用安眠枕カバー。
【考案の詳細な説明】
【技術分野】
【０００１】
本考案は、マジックテープ（商標登録）と取手を縫いつけた布帛と、対になるマジックテープとワンタッチバックルを取り付けた樹脂製ベルトとの組み合わせより、枕を圧縮する枕カバーに関するものである。
【背景技術】
【０００２】
旅行、入院時等、使い慣れた枕を使用できないことで、安眠、熟睡を妨げていた。また、枕が大きいままでは、収納して持ち歩けない。
【特許文献１】実開平６―７５２６７
【考案の開示】
【考案が解決しようとする課題】
【０００３】
旅行、入院時等、安眠、熟睡できないことは、体力的、精神的にも負担が多いので、いつでも、何処にでも使い慣れた枕を簡単に持ち運びができるように解決しようとするものである。
【課題を解決するための手段】
【０００４】
本考案は、クッション材で製作された枕を、マジックテープと取手を縫い付けた布帛の中に入れ、前記マジックテープと対になるマジックテープとワンタッチバックルを取り付けた樹脂製ベルトにより圧縮され、容積が小さくなることにより問題点を解決している。
【考案の効果】
【０００５】
上記の様に、本考案の携帯用安眠枕カバーは樹脂製ベルトを使用することにより、わずかな力で簡単に枕を圧縮でき、枕をコンパクトにすることができる。樹脂製ベルトはマジックテープで布帛に取り付けてあるため、布帛のみを洗濯できるので常に清潔に保つことができる。また、圧縮された枕を収納ケースに入れ旅行や入院時等に持ち運びやすくなり、いつでも何処でも安眠、熟睡ができるようになる。
【考案を実施するための最良の形態】
【０００６】
本考案は、布帛に縫い付けられた凹凸どちらかのマジックテープと、該マジックテープと対になる凹凸どちらかのマジックテープとワンタッチバックルが取り付けられた樹脂製ベルトとを横方向や縦方向に変化させることにより、枕を収納するバックやスーツケースなどの隙間の大きさに合わせて横まきや縦まきに枕の形状を変えて収納することができる携帯用安眠枕カバーを提供するものである。尚、枕を使用する時はワンタッチバックルを開放するだけで、元の形に戻る。布帛は枕カバーとして使用できる。
【実施例】
【０００７】
以下、添付図面に従って一実施例を説明する。図１は、本考案の一実施例の携帯用安眠枕カバー１の全体を示す平面図であり、布帛２にマジックテープ４，５，６，７と取手８を縫い付け、布帛２に縫い付けられたマジックテープ４，６に対し、Ａ方向に樹脂製ベルト３に縫い付けられたマジックテープ１３，１４を合わせて、前記樹脂製ベルト３によってクッション製枕を横まきに圧縮し、コンパクトにして持ち運びができる携帯用安眠枕カバー１を示すものである。
【０００８】
図２は、本考案の他の実施例の携帯用安眠枕カバー１の全体を示す平面図であり、布帛２にマジックテープ４，５，６，７と取手８を縫い付け、布帛２に縫い付けられたマジックテープ５，７に対し、Ｂ方向に樹脂製ベルト３に縫い付けられたマジックテープ１３，１４を合わせて、前記樹脂製ベルト３によってクッション製枕を縦まきに圧縮し、コンパクトにして持ち運びができる携帯用安眠枕カバー１を示すものである。
【０００９】
図３は、マジックテープ４，５，６，７と取手８を縫い付けた布帛２の平面図であり、マジックテープ４，５，６，７は布帛２に縫い付ける凹凸どちらかのマジックテープ４，５，６，７の４箇所の位置を示しており、マジックテープ４，６は枕の横まきに使用し、マジックテープ５，７は枕の縦まきに使用する。
【００１０】
図４は、ワンタッチバックルオス９，１１とワンタッチバックルメス１０，１２とマジックテープ１３，１４を取り付けた樹脂製ベルト３の平面図であり、前記布帛２に縫い付けられたマジックテープ４，５，６，７の対になる凹凸どちらかのマジックテープ１３，１４を縫い付けるものである。
【００１１】
図５と図６は、上記実施例の携帯用安眠枕カバー１を枕本体に装着したときの状態を示すものであり、樹脂製ベルト３によって圧縮され、コンパクトになった枕は取手８により持ち運びやすくなり、また、ワンタッチバックル９，１０，１１，１２を開放するだけで枕は元の形に復元される。
【図面の簡単な説明】
【００１２】
【図１】本考案の一実施例の携帯用安眠枕カバーの全体を示す平面図である。
【図２】本考案の他の実施例の携帯用枕カバーの全体を示す平面図である。
【図３】マジックテープと取手を縫い付けた布帛の平面図である。
【図４】ワンタッチバックルとマジックテープを取り付けた樹脂製ベルトの平面図である。
【図５】上記実施例の携帯用安眠枕カバーを枕本体に装着したときの状態を示す正面図である。
【図６】上記実施例の携帯用安眠枕カバーを枕本体に装着したときの状態を示す斜視図である。
【符号の説明】
【００１３】
１    携帯用安眠枕カバー
２    布帛
３    樹脂製ベルト
４    マジックテープ
５    マジックテープ
６    マジックテープ
７    マジックテープ
８    取手
９    ワンタッチバックルオス
１０  ワンタッチバックルメス
１１  ワンタッチバックルオス
１２  ワンタッチバックルメス
１３  マジックテープ
１４  マジックテープ
【図１】
0003131442.tif 000003
【図２】
0003131442.tif 000004
【図３】
0003131442.tif 000005
【図４】
0003131442.tif 000006
【図５】
0003131442.tif 000007
【図６】
0003131442.tif 000008
(57)【要約】      （修正有）【課題】発電器において発電に要するエネルギーを少なくしさらに従来の同容量の発電器より小型軽量化する。【解決手段】空芯コイルを使用しその芯部分を、磁気帯び無軸リングを回転させ発電し、従来の発電器における有芯コイルと永久磁石とが互いに引き合う時生じる力を無くする事により、発電に要するエネルギーを少なくてすむようにしている。また、コイルを空芯コイルにする事により従来の発電器に主に使われていた鉄芯が不要となりその重量分が軽量化できる。【選択図】図１
0003134408.tif 000002
【実用新案登録請求の範囲】
【請求項１】
空芯コイルの芯の部分を、適当な数の丸棒形状の永久磁石が円状に配置内包、あるいは自体が磁化された磁気帯び無軸車輪が、同一方向に回転し、コイルに連続した磁界変化を与えた時発生する電気を取り出す発電器。
【考案の詳細な説明】
【考案の詳細な説明】
【技術分野】
【０００１】  本考案は、空芯コイルの芯の部分に永久磁石による連続した磁界変化を与え発電する構造の発電器に関するものである。
【背景技術】
【０００２】  従来の発電器は有芯コイルと、有芯コイルに磁界変化を与える為の永久磁石を、有芯コイルの近くで回転させた時コイルに発生する電気を取り出し利用するものと、空芯コイルであってもその空芯コイルの中を永久磁石が往復運動し発電するものが主であった。
【考案が解決しようとする課題】
【０００３】    従来の発電器は有芯コイルと、その有芯コイルに磁界変化を与える為の永久磁石を、有芯コイルの近くで振動あるいは回転させた時コイルに発生する電気を取り出し利用するものと、空芯コイルであってもその空芯コイルの中を永久磁石が往復運動し発電するものが主で、前者は有芯コイル側に使われる鉄芯と永久磁石が互いに引き合う為、抵抗が大きく、発電するために多くのエネルギーが必要だった。また後者は振動運動の為衝撃が大きく、大型化出来ない欠点があった。
【課題を解決するための手段】
【０００４】  従来の発電器における、磁石と有芯コイルの鉄心が互いに引き合う為生じていた大きな抵抗力を軽減させるため本考案の発電器はコイルは空芯とし、また振動等の衝撃をなくす為、空芯コイルの中芯部分を、無軸磁気帯びリングがなめらかに回転しながら、磁界変化を与える事によって、解決している。
【考案を実施するための最良の形態】
【０００５】  フレームに磁気帯び無軸車輪を支える為のＵ字溝車を３個とりつける。この内１個は磁気帯び無軸車輪を回転をさせる為に外部から回転動力が与えるれる。他の２個はフリーに回転する。各Ｕ字溝車の溝は磁気帯び無軸車輪を支えられる大きさの溝とする。フレームからは適当な距離を置き、磁気帯び無軸車輪を３点支持できる位置で空芯コイルのスペースが充分とれる位置に配置する。磁気帯び無軸車輪は適当な数の磁石を内封するかあるいはそれ自体を磁化する。磁石の場合も磁化した場合もＳ極Ｎ極が交互になるようにしたものであり、これを３個のＵ字溝車で支える様に取り付ける。その磁気帯び無軸車輪を巻くように銅線を巻き空芯コイルを作る。その空芯コイルは磁気帯び無軸車輪の曲線にあわせ、なおかつ中心を磁気帯び無軸車輪が回転出来る穴があいた糸巻きに銅線が巻かれたものであり、それはフレームに固定する。コイルの銅線両端は、それぞれ電気を取り出す為のターミナルに繋ぐ。
【実施例】
【０００６】  以下、添付図面に従って実施例を説明する。
１はフレームであり、磁化されにくい材質で強度がある素材。２は空芯コイルである。３は自体磁気帯びているか、あるいは磁石を内封していて空芯コイルの中を通り回転する無軸車輪である。４はＵ字溝車でありこの溝車に回転動力を加えることにより３の磁気帯び無軸車輪が回転する。５と６は３の磁気帯び無軸車輪を支えるＵ字溝車である。７は２の空芯コイルから電気を取り出す為のターミナルである。
【考案の効果】
前述のように、本考案の空芯コイルと磁気帯び無軸車輪による発電器は、従来の同量の発電量の発電機に比べ、軽量化することが出来る事と、発電に要するエネルギーが少なくてすむ事から発電費用のコストダウンがはかれる。
【図面の簡単な説明】
【図１】は断面図と姿図  本考案空芯コイル発電機の実施例を示す図面である
【符号の説明】
１  フレーム
２  空芯コイル
３  無軸磁気帯びリング
４  ３を回転させるためのＵ溝車。図は手動で発電する用途の時のハンドル付き。
５  ３を支持する為のＵ溝車
６  ５と同じく３を支持する為のＵ溝車
７  電気取り出し用ターミナル
【図１】
0003134408.tif 000003
(57)【要約】【課題】  本考案は、土木建築工事等で狭い場所での鉄筋の組み立て工事や配筋された鉄筋を修正出来る鉄筋曲げ具を提供する。【解決手段】  本考案の鉄筋曲げ具は、堅牢小型の形状で、ラチェットレンチに簡単に装着できるように鉄筋曲げ具本体１に四角の穴３とコの字型の鉄筋つかみ溝２を設け、鉄筋つかみ溝２に鉄筋を挿入してラチェットレンチのハンドル５を反復繰り返し微動する事により、鉄筋曲げ具の穴３を支点にし角度が変化する事で鉄筋を曲げる事が出来る。土木建築工事等で狭い場所での鉄筋の組み立て工事や配筋した鉄筋の修正作業が容易に出来る。また、鉄筋を曲げる力を軽減するために、ラチェットレンチのハンドルをパイプ等で長くしても鉄筋曲げ具本体１に段差４を付ける事で大きなトルクを生じても鉄筋曲げ具とラチェットレンチの捩じれを防止し作業の安定を図る事が出来る。【選択図】図４
0003134410.tif 000002
【実用新案登録請求の範囲】
【請求項１】
鉄筋曲げ具本体にコの字型鉄筋つかみ溝２とラチェットレンチを装着する四角の穴３を設け、鉄筋つかみ溝２に鉄筋を挿入してラチェットレンチのハンドル５を反復繰り返し作動して鉄筋曲げ具の角度を変化する事で鉄筋の配筋修正が出来る事を特徴とするラチェット式鉄筋曲げ具。
【考案の詳細な説明】
【技術分野】
【０００１】  本考案は、ラチェットレンチに簡単に装着出来、土木建築工事等の狭い場所でも鉄筋を曲たり、配筋の修正が出来る事を目的とした鉄筋曲げ具に関するものである。
【背景技術】
【０００２】  従来、使用されている鉄筋曲げ具は、棒状体で約４０〜７０ｃｍ位のパイプ状の先に差し込み、一方形で手動で曲げ作業が行われている。また、油圧シリンダ−ピストンでの鉄筋曲げ具があるが、場所が狭く配筋の周辺に障害物等があれば作業が不能となる。
【特許文献１】  特開平１１−０１０２２９号公報
【考案の開示】
【考案が解決しようとする課題】
【０００３】  従来の鉄筋曲げ具は、前記のように、棒状体のパイプペンダ等の比較的大きな形状の物や油圧ポンプ等での鉄筋曲げ具があるが、土木建築等の鉄筋工事で、狭い場所での鉄筋の組み立てや配筋された鉄筋の修正には、使用に不便な事もあり、棒状体のテコ等で鉄筋の修正を行っており作業能率が低下している。
【課題を解決するための手段】
【０００４】  本考案の鉄筋曲げ具は、堅牢小型の形状でラチェットレンチに簡単に装着出来、わずかな間隔で組み立てられている鉄筋及び鉄筋と仮枠工事で、設備用部材の設置や配筋した鉄筋を修正加工する場合に使用出来るようにした。
【考案の効果】
【０００５】  土木建築工事等で、型枠鉄筋にコンクリ−トを打ち込んだ後に鉄筋の配筋が、不均一で修正を必要とする場合には、従来から狭い場所での作業に適合する鉄筋曲げ具や器具がないため、棒状体のテコ等で修正作業を行っていた。本考案のラチェットレンチ式鉄筋曲げ具は、鉄筋曲げ具本体をラチェットレンチに簡単に装着出来、狭い場所で配筋された鉄筋の間にも容易に挿入が出来てラチェットの正逆回転を切り換えれば上下、左右への曲げ加工が可能となる。また、本考案の鉄筋曲げ具は、堅牢小型な形状で鉄筋の修正には大きな労力を必要としない事と安価に提供出来る事を特徴とする。
【考案を実施するための最良の形態】
【０００６】  本考案の鉄筋曲げ具本体は、堅牢小型の形状で、ラチェットレンチに簡単に装着出来るように鉄筋曲げ具本体１に四角の穴３とコの字型の鉄筋つかみ溝２を設け、狭い場所での鉄筋間の隙間から、自由自在に差し入れ鉄筋曲げ具の鉄筋つかみ溝２に鉄筋を挿入してラチェットレンチのハンドル５を曲げ方向に反復繰り返し微動する事により、ラチェットレンチの凸部と装着用四角の穴３が結合された部分を中心にして、少しずつ鉄筋曲げ具の角度がくの字型に変化して鉄筋を曲げる事が出来る。【０００７】  本考案の鉄筋曲げ具に使用する材料は、金属製の鍛造品等で小型堅牢であるものとする。
【実施例】
【０００８】  以下、添付図面に従って一実施例を説明する。ラチェットレンチの凸部を鉄筋曲げ具１の四角の穴３に差し込み装着して曲げようとする鉄筋を鉄筋つかみ溝２に挿入して曲げる方向にラチェットレンチのハンドル５を繰り返し反復操作すれば、結合した四角の穴３を中心に徐々に角度が変化して狭い場所でも鉄筋を曲たり配筋の修正加工が出来る。【０００９】  また、鉄筋の曲げる力を軽減するため、ラチェットレンチのハンドル５にパイプ等差し込みハンドルを長くして曲げ加工を行っても鉄筋曲げ具本体１に段差４を設ける事で鉄筋曲げ具とラチェットレンチの捩じれを防止安定させる事で作業性が向上する。
【図面の簡単な説明】
【００１０】
【図１】  鉄筋曲げ具の本体正面図。
【図２】          〃      側面図。
【図３】          〃      斜視図。
【図４】  ラチェットレンチ式鉄筋曲げ具の組立斜視図。
【符号の説明】
【００１１】  １  鉄筋曲げ具本体
２  鉄筋つかみ溝
３  ラチェットレンチの四角凸部と結合装着用穴
４  鉄筋曲げ具本体の段差
５  ラチェットレンチハンドル
【図１】
0003134410.tif 000003
【図２】
0003134410.tif 000004
【図３】
0003134410.tif 000005
【図４】
0003134410.tif 000006
(57)【要約】      （修正有）【課題】視力矯正力の持たないサングラスやゴーグルなどに視力矯正力を持たせるための視力矯正用レンズである。【解決手段】柔軟性のある透明素材で作られ視力矯正力を有し片面に接着剤を有するレンズを、視力矯正力の無いサングラスやゴーグルに貼り付けることで、視力矯正力を持ったサングラスやゴーグルに変えることができる。【選択図】図１
0003134401.tif 000002
【実用新案登録請求の範囲】
【請求項１】
柔軟性のある透明素材で作られ、視力矯正力を有し、片面に接着剤を有する視力矯正用レンズ。
【考案の詳細な説明】
【技術分野】
【０００１】本考案は、視力矯正に関するものである。
【背景技術】
【０００２】今まで、視力矯正用のサングラスやゴーグルは視力矯正力の無いものに比べて非常に高価であり、また、急に必要になっても購入できるところが限定される不便さがあった。
【考案の開示】
【考案が解決しようとする課題】
【０００３】安価で購入できるところの多い視力矯正力の無いサングラスやゴーグルなどを視力の悪い人でも使用できるようにするものである。
【課題を解決するための手段】
【０００４】本考案は、あらかじめ自分の視力に合った視力矯正用レンズを用意しておき、視力矯正力の無いサングラスやゴーグルなどの手前側に貼ることで、自分の視力に合ったサングラスやゴーグルに変えることで、問題点を解決している。
【考案の効果】
【０００５】今まで店頭で見て気に入ったとしても、視力の悪い人には使用できなかった安価でファッション性の高いサングラスやゴーグルを自分の視力に合ったもの簡単に変えられる。
【考案の実施するため最良の形態】
【０００６】柔軟性のある透明素材で作られ、視力矯正力を有し、片面に透明接着剤面を有する視力矯正用レンズであり、長時間の使用でも透明度の低下や接着面の剥がれが起こりにくい素材を選ぶことが好ましい。
【図面の簡単な説明】
【０００７】
【図１】本考案の視力矯正用レンズと視力矯正力の無いサングラスの側面図である。
【符号の説明】
１  視力矯正力の無いサングラス
２  柔軟性のある透明素材で作られた本考案のレンズ本体
３  本考案のレンズに塗布してある透明接着剤
【図１】
0003134401.tif 000003
(57)【要約】      （修正有）【課題】旧来の火けしつぼの安全性を生かし、タバコ消火時にタバコの煙が灰皿から出る量を押さえ、灰皿の上面に、タバコが自由に動かないように凹みをつけ、速急の灰皿として使え、フタ部の移動を容易にした。灰皿がより安定に置ける。また、灰皿に入っているタバコの吸い殻、タバコの灰等が容易に排出できる、優れた灰皿を提供する。【解決手段】灰皿部１とフタ部は、不燃性の樹脂や陶器またはガラス等から成り、フタ部と灰皿部１の嵌合を良くし、灰皿部１の上面に数ケ所の凹み部を設ける。またフタ部の下面にタバコ置き部を備え、さらにフタ部の上面に高さ０．７〜１．５ｃｍの凸部を備え、その凸部の中心側に（又は、外側に）灰皿部１の足２が入る構造とする。また灰皿部１のツバ部４は、中心方向が高くなるよう傾斜させる。【選択図】図３
0003134407.tif 000002
【実用新案登録請求の範囲】
【請求項１】
灰皿部と、フタ部とは、不燃性の樹脂や陶器またはガラスから成り、灰皿部上端縁に凹部を形成し、凹部にフタ部下端縁を篏合して封止構造とし、かつ、灰皿部上端縁に形成の凹部部は、タバコを挟持するため複数の凹み部を形成したことを特徴とする灰皿。
【請求項２】
フタ部には、下面にタバコ置き部として、設けられる複数の凸部と、上面中心部に灰皿部の下部に形成の足が入る、（又は出る）ための高さ０．７〜１．５ｃｍの凸部を設けて、フタ部の上面に灰皿部が重なるようにしたことを特徴とする請求項１記載の灰皿。
【請求項３】
灰皿部の上端縁に形成される凹部は、中心方向に向けて延び出したツバ部に形成され、該ツバ部の下面は中心方向が高くなるよう傾斜していることを特徴とする請求項１記載の灰皿。
【考案の詳細な説明】
【技術分野】
【０００１】  本考案は、火消しつぼの機能を備えた灰皿の技術分野に属するものである。
【背景技術】
【０００２】  一般に、従来の灰皿では、火のついているタバコを灰皿で消して、そのまま灰皿に置くと、その際に  すこしの時間タバコから出る煙が周囲に漂い、周囲の人々を不快にさせる問題がある。また、タバコの残り火で火災が発生するという危険もある。
【考案の開示】
【考案が解決しょうとする課題】
【０００３】  火を消したタバコを、そのまま灰皿に入れると、すこしの間タバコから出た煙が周囲に漂い、人々に不快にするという問題があり、このことが考案の解決すべき課題の１つがある。また、喫煙者が増えた際には、さらなる灰皿が必要となる、この件も  課題である。
また  さらに  この残り火から火災となる危険性もある。さらに  ふた付の灰皿では、、ふたの置くスペースの確保も課題となり、さらに  灰皿の掃除の容易性も課題とある。
【課題を解決するための手段】
【０００４】  本考案は、上述の如き状況に監み、これらの課題を解決することを目的として創作されたものであって、灰皿部と、フタ部とは、不燃性の樹脂や陶器またはガラスから成り、灰灰皿部上端縁に凹部を形成し、凹部にフタ部下部縁を嵌合して封止構造とし、かつ、灰皿部上端縁に形成の凹部は、タバコを挟持するため複数の凹み部を形成したことを特徴とする灰皿である。また  フタ部には、下面にタバコ置き部として、設けられる複数の凸部と、上面中心部の下部に形成の足が入るための高さ０．７〜１．５ｃｍの凸部を設けてフタ部の上に灰皿部が重なるようにしたことを特徴とする請求項１記載の灰皿である。さらに  灰皿部の上端縁に形成される凹部は、中心方向に向けて延びるツバ部に形成され該ツバ部の下面は中心方向が高くなるよう傾斜していることを特徴とする請求項１記載の灰皿である。
【考案の効果】
【０００５】  フタ部の下面に数ケ所の凸部を設け、フタ部を裏がえしにすれば、速急の灰皿となる。さらに  フタ部の上面に円周状の凸部を設け、その凸部はフタ部の移動時に指を掛けられるように、０．７〜１．５ｃｍ程度の高さとし、その凸部の中心部側に灰皿部の下部が入り、フタ部の上に灰皿部が重なり灰皿部がより安定に置ける。さらに  灰皿部とフタ部が嵌合する灰皿部のタバコ置き場を傾斜し、灰皿部に入っている吸い殻、タバコの灰等が容易に廃棄できる。また  灰皿部に把手を付けることにより、さらに容易となる。これらを特徴とする構成である。
【考案を実施するための最良の形態】
【０００６】  以下、図を用いて本考案の実施の形態について説明する。本考案の火消しぼ型灰皿は、灰皿部１とフタ部１０とにて構成している。【０００７】  まず、図１に示すように、灰皿部１の上端縁には中心側に延び出したツバ部４の上面に内外一対の凸部５，６が形成されて凹部になって、タバコ休めを設けている。また  ツバ部４の上面凸部５，６間の平面には、フタ部１０の下端縁を嵌合し、これによって火消しつぼとして機能するようになっている。【０００８】  フタ部１０の下面内面に数カ所の凸部が形成せれてタバコ置き部１２（図は４ケ）を備える。さらに  フタ部１０に灰皿部１の足２が入る円周状に高さ０．７〜１．５ｃｍの凸部１１を設ける。なお  灰皿部１０の足がフタ部１０の円周状の凸部の内側に入ってもよい。【０００９】  次に、灰皿部１がツバ部４の下面についてを中心方向が高くなるよう傾斜している。【００１０】  本考案が実施された灰皿は、上記の通りであり、タバコの火を確実に旧来の火消しつぼ型の伝統的な知識を応用して灰皿部１とフタ部１０とが嵌合してタバコの残り火を消火させ、また  消火時の煙の放出も押さえる。さらに  フタ部１０は裏返せば灰皿に、灰皿部の下にし重ねることで灰皿部１安定した置き台にもなる。
【図面の簡単な説明】
【００１１】
【図１】  本考案に係わる灰皿部の平面図である。
【図２】  本考案に係わるフタ部の裏面からの平面図である。
【図３】  本考案に係わる図１の矢視図ＡＯＱＡでフタ部と灰皿部の結合図である。
【図４】  本考案に係わる図３のａ部拡大図である。
【符号の説明】
【００１２】  １・・灰皿部
２・・足
３・・把手
４・・ツバ部
５・・凸部（内側）
６・・凸部（外側）
１０・・フタ部
１１・・凸部
１２・・タバコ置き部
【図１】
0003134407.tif 000003
【図２】
0003134407.tif 000004
【図３】
0003134407.tif 000005
【図４】
0003134407.tif 000006
(57)【要約】      （修正有）【課題】フラップ部の角部分にゴミや埃等が付着しないようにする。【解決手段】フラップ部１が袋本体部２に対して粘着材４を介して開閉自在に構成され、フラップ部１は、自由端の角部分１ａ，１ａが傾斜又は円弧状に形成される。【選択図】図１
0003134453.tif 000002
【実用新案登録請求の範囲】
【請求項１】
フラップ部が粘着材を介して袋本体部に対し開閉自在に構成された包装用ビニール袋において、前記フラップ部は、自由端の角部分が傾斜又は円弧状に形成されていることを特徴とする包装用ビニール袋。
【請求項２】
前記袋本体は、係止孔を介して吊下げ可能な吊下げ支持部を備えていることを特徴とする請求項１に記載の包装用ビニール袋。
【考案の詳細な説明】
【技術分野】
【０００１】
本考案は、下着やシャツ等の衣服類を包装して陳列するための包装用ビニール袋に関するものである。
【背景技術】
【０００２】
従来より、下着やシャツ等の衣服類を包装して陳列するための包装用ビニール袋がある。この包装用ビニール袋は、利便性等から、全体がビニール製である。包装用ビニール袋は、図３に示すように、袋本体部２’とフラップ部１’とを備えている。袋本体部２’は、一端側に開口部２ａ’を備えている。
【０００３】
フラップ部１’は、一端が袋本体部の開口部２ａ’側に取り付けられ、開口部２ａ’を開閉するようになっている。そして、包装用ビニール袋は、開口部２ａ’を通じて、袋本体部２’内に衣服類を収納し、フラップ部１’を閉じて、衣服類を包装する。
【０００４】
フラップ部１’は、粘着材４’によって、開口部２ａ’を開閉自在に構成する。フラップ部１’は、自由端の角部分１ａ’，１ａ’が略直角に形成され角張っており、尖鋭状になっている。
【０００５】
そのため、運搬や陳列している際、包装した衣服類の厚みや横ズレによって、角部分１ａ’，１ａ’の粘着材４’の粘着力が弱まり、この部分１ａ，１ａ’が袋本体２から外れる。これにより、角部分１ａ，１ａ’の粘着材４’にゴミや埃等が付着して、美観を損ない、商品全体としての価値を下げていた。さらに、粘着力の低下により、フラップ部１’が不必要に開くことがあり、不便であった。
【考案の開示】
【考案が解決しようとする課題】
【０００６】
そこで、本考案が解決しようとする課題は、フラップ部の角部分にゴミや埃等が付着することのない包装用ビニール袋を提供することである。
【課題を解決するための手段】
【０００７】
上記課題を解決するため、本考案に係る包装用ビニール袋は、フラップ部が粘着材を介して袋本体部に対し開閉自在に構成され、フラップ部は、自由端の角部分が傾斜又は円弧状に形成されている。
【０００８】
好ましくは、袋本体は、係止孔を介して吊下げ可能な吊下げ支持部を備えている。
【考案の効果】
【０００９】
上記の通り、本考案に係る包装用ビニール袋では、フラップ部は、自由端の角部分が傾斜又は円弧状に形成されている。これにより、フラップ部の角部分が、他のビニール袋等に当たり難くなっており、フラップ部が不必要に開くことがない。
【考案を実施するための最良の形態】
【００１０】
以下、図面に基づいて、本考案に係る包装用ビニール袋について説明する。
【００１１】
図１は、包装用ビニール袋を示す斜視図である。図２は、図１のＡ−Ａ線断面図である。包装用ビニール袋は、袋本体部２とフラップ部１とを備えている。袋本体部２及びフラップ部１は共に、ビニール製である。袋本体部２は、一端に開口部２ａを備えている。包装用ビニール袋は、開口部２ａを通じて、袋本体部２内に衣服類を収納したり、取り出したりする。
【００１２】
フラップ部１は、一端が袋本体部の開口部２ａ側に取り付けられ固定されている。これにより、フラップ部１は、他端が自由端となっている。フラップ部１は、自由端の角部分１ａ，１ａが傾斜して形成されている。なお、角部分１ａ，１ａは、円弧状に形成されていてもよい。これにより、フラップ部の角部分１ａ，１ａが、他のビニール袋等に当たり難くなっており、フラップ部１が不必要に開くことがない。
【００１３】
フラップ部１は、袋本体部の開口部２ａを開閉自在にする。フラップ部１と袋本体部２とは、粘着材４を介して、着脱自在になっている。使用する前は、粘着材４を覆う剥離紙（図示略）が、袋本体部２又はフラップ部１に取り付けられており、使用する際に、剥離紙を剥して粘着材４を露出し、フラップ部１を粘着材４で閉じるようになっている。
【００１４】
包装用ビニール袋は、吊下げ支持部３を備えている。吊下げ支持部３は、袋本体部２の一端側に設けられている。吊下げ支持部３は、中央に係止孔３ａが穿設されている。そして、包装用ビニール袋は、店舗等に配列された陳列用の水平棒に、係止孔３ａを通して吊下げ、陳列するようになっている。なお、吊下げ支持部３はない場合もある。
【図面の簡単な説明】
【００１５】
【図１】本発明に係る包装用ビニール袋を示す斜視図である。
【図２】図１のＡ−Ａ線断面図である。
【図３】従来の包装用ビニール袋を示す斜視図である。
【符号の説明】
【００１６】
１  フラップ部
１ａ  フラップ部の角部分
２  袋本体部
３  吊下げ支持部
３ａ  係止孔
【図１】
0003134453.tif 000003
【図２】
0003134453.tif 000004
【図３】
0003134453.tif 000005